(57)【要約】【課題】  単純な構成で永続的に使用することが可能な水中玩具を提供すること。【解決手段】  この水中玩具１は、光散乱性の透明材料により所定の立体形状に成形された水中玩具１であって、凹部４が形成された本体部３と、凹部４に着脱可能に挿入して嵌合される蓋部５とを備え、蓋部５は、凹部４への挿入側に化学発光体１１が着脱可能に固定されるとともに、所定位置におもり１３が取り付けられている。【選択図】  図２
2005124917.tif 000002
【特許請求の範囲】
【請求項１】
光散乱性の透明材料により所定の立体形状に成形された水中玩具であって、
凹部が形成された本体部と、
前記凹部に着脱可能に挿入して嵌合される蓋部とを備え、
前記蓋部は、前記凹部への挿入側に化学発光体が着脱可能に固定されるとともに、所定位置におもりが取り付けられている、
ことを特徴とする水中玩具。
【請求項２】
光散乱性の透明材料により所定の立体形状に成形された水中玩具であって、
凹部が形成された本体部と、
前記凹部に着脱可能に挿入して嵌合される蓋部とを備え、
前記蓋部は、前記凹部への挿入側に化学発光体が着脱可能に固定され、
前記本体部は、所定位置におもりが取り付けられている、
ことを特徴とする水中玩具。
【請求項３】
光散乱性の透明材料により所定の立体形状に成形された水中玩具であって、
凹部が形成された第１の本体部と、
前記凹部に着脱可能に挿入して嵌合される凸部が形成された第２の本体部とを備え、
前記第１の本体部と前記第２の本体部との一方の所定位置におもりが取り付けられ、
前記第１の本体部の凹部に前記第２の本体部の凸部が挿入されたときに形成される間隙に化学発光体が保持される、
ことを特徴とする水中玩具。
【請求項４】
前記凹部の最深部と外部との間に空気抜き手段が設けられていることを特徴とする請求項１〜３のいずれか１項に記載の水中玩具。
【請求項５】
前記化学発光体は、アンプル状の容器に化学発光のための薬液を封入して構成されていることを特徴とする請求項１〜４のいずれか１項に記載の水中玩具。
【請求項６】
前記透明材料は、柔軟性を有する樹脂材料に光散乱性の微粒子を含有することを特徴とする請求項１〜５のいずれか１項に記載の水中玩具。
【請求項７】
前記透明材料は、柔軟性を有する樹脂材料の表面に光散乱性の微粒子層が設けられていることを特徴とする請求項１〜５のいずれか１項に記載の水中玩具。
【発明の詳細な説明】
【技術分野】
【０００１】
本発明は、水中玩具に関するものである。
【背景技術】
【０００２】
お風呂や水槽等において使用される観賞用の水中玩具の分野においては、近年に至って鑑賞者の年齢層が広がる傾向にあり、商品に対してより高度な美観が求められている。このような水中玩具の例としては、電池とＬＥＤを含むＩＣ回路を内蔵することにより、水面を浮遊しながら点滅光を発するというようなものが存在する（特許文献１参照。）。
【特許文献１】特開２０００−１４０４５４号公報
【発明の開示】
【発明が解決しようとする課題】
【０００３】
しかしながら、上述した従来技術においては以下のような問題点があった。つまり、電気的に発光させる方式では構成が複雑になり重量が大きくなる結果、水中で所望の姿勢を保つようにすることが困難である。一方で、漏水によるＩＣ回路等の故障を防ぐための防水構造を採る必要があるため、ＬＥＤ、電池等の交換をする場合に手間がかかる傾向にある。
【０００４】
そこで、本発明はかかる課題に鑑みて為されたものであり、単純な構成で永続的に使用することが可能な水中玩具を提供することを目的とする。
【課題を解決するための手段】
【０００５】
本発明の水中玩具は、光散乱性の透明材料により所定の立体形状に成形された水中玩具であって、凹部が形成された本体部と、凹部に着脱可能に挿入して嵌合される蓋部とを備え、蓋部は、凹部への挿入側に化学発光体が着脱可能に固定されるとともに、所定位置におもりが取り付けられていることを特徴とする。
【０００６】
このような水中玩具では、光散乱性の透明材料によりなる本体部の内部に化学発光体が収容されるとともに、蓋部の所定位置におもりが取り付けられた水中玩具を構成する。これにより、全体として散乱光を外部に発しながら水中で所望の姿勢を保つ水中玩具が実現される。しかも、蓋部は本体から着脱可能とされ、化学発光体は蓋部から着脱可能とされることにより、従来のような複雑な防水構造に比べ発光体の交換が容易に行われる。
【０００７】
また、本発明の水中玩具は、光散乱性の透明材料により所定の立体形状に成形された水中玩具であって、凹部が形成された本体部と、凹部に着脱可能に挿入して嵌合される蓋部とを備え、蓋部は、凹部への挿入側に化学発光体が着脱可能に固定され、本体部は、所定位置におもりが取り付けられていることを特徴とする。
【０００８】
このような水中玩具によっても、光散乱性の透明材料によりなる本体部の内部に化学発光体が収容されるとともに、本体部の所定位置におもりが取り付けられた水中玩具を構成する。これにより、全体として散乱光を外部に発しながら水中で所望の姿勢を保つ水中玩具が実現される。しかも、蓋部は本体から着脱可能とされ、化学発光体は蓋部から着脱可能とされることにより、従来のような複雑な防水構造に比べ発光体の交換が容易に行われる。
【０００９】
また、本発明の水中玩具は、光散乱性の透明材料により所定の立体形状に成形された水中玩具であって、凹部が形成された第１の本体部と、凹部に着脱可能に挿入して嵌合される凸部が形成された第２の本体部とを備え、第１の本体部と第２の本体部との一方の所定位置におもりが取り付けられ、第１の本体部の凹部に第２の本体部の凸部が挿入されたときに形成される間隙に化学発光体が保持されることを特徴とする。
【００１０】
このような水中玩具によっても、光散乱性の透明材料によりなる第１の本体部と同材料によりなる第２の本体部とが嵌合されることにより内部に間隙が形成され、間隙において化学発光体が保持されるとともに、本体の所定位置におもりが取り付けられた水中玩具を構成する。これにより、全体として散乱光を外部に発しながら水中で所望の姿勢を保つ水中玩具が実現される。しかも、第２の本体部は第１の本体部から着脱可能とされることにより、従来のような複雑な防水構造に比べ発光体の交換が容易に行われる。
【００１１】
さらに、凹部の最深部と外部との間の空気抜き手段が設けられていることが好ましい。この場合、蓋部または第２の本体部を取り外す際に間隙と外部との間で空気が流通され、発光体の交換がより円滑に行われる。
【００１２】
またさらに、化学発光体は、アンプル状の容器に化学発光のための薬液を封入して構成されていることも好ましい。このような構成とすれば、着脱による化学発光体の交換が安全かつ簡便に行われる。
【００１３】
さらにまた、透明材料は、柔軟性を有する樹脂材料に光散乱性の微粒子を含有することも好ましい。かかる透明材料により成形されると、例えば入浴時に浴槽等で使用した場合に、人体への危険度がより低減されるとともに、蓋部又は本体部の着脱や化学発光体の着脱がより一層容易とされる。
【００１４】
加えて、透明材料は、柔軟性を有する樹脂材料の表面に光散乱性の微粒子層が設けられていることも好ましい。この場合、例えば入浴時に浴槽等で使用した場合に、人体への危険度がより低減されるとともに、蓋部又は本体部の着脱や化学発光体の着脱がより一層容易とされる。また、水中玩具の本体部を透過する光の透過率がその肉厚に関わらず均一とされ、観察者に対してムラが無く美観の高い散乱光が提供される。
【発明の効果】
【００１５】
本発明の水中玩具によれば、光散乱性の透明材料によりなる本体部の内部に化学発光体が収容されるとともに、蓋部の所定位置におもりが取り付けられた水中玩具を構成する。これにより、全体として散乱光を外部に発しながら水中で所望の姿勢を保つ水中玩具が実現される。しかも、蓋部は本体から着脱可能とされ、化学発光体は蓋部から着脱可能とされることにより、従来のような複雑な防水構造に比べ発光体の交換が容易に行われる。その結果、単純な構成で永続的に使用することが可能な水中玩具を提供することができる。
【発明を実施するための最良の形態】
【００１６】
本発明の実施形態について図面を参照して説明する。なお、各図において、同一要素には同一符号を付して重複する説明を省略する。
【００１７】
［第１実施形態］
図１は本発明の第１実施形態にかかる水中玩具の右側面図、図２は図１に示す水中玩具の縦断面図である。図１及び図２に示すように、水中玩具１は、所定の立体形状である金魚の形状に成形された水中玩具であり、本体部３と蓋部５とを含んで構成されている。そして、蓋部５には化学発光体１１が固定されるとともに、所定位置（詳細は後述する。）におもり１３が取り付けられている。以下、各構成要素について詳細に説明する。
【００１８】
図２に示すように、本体部３は、光散乱性の透明材料により成形されたものであり、底面には凹部４が形成されている。ここでいう「光散乱性」とは、化学発光体１１から発せられる光の波長範囲の光を材料に入射した場合に、その光の出射角度を様々な角度に変更させる性質を意味する。この光散乱性の透明材料としては、成形処理による凝固後において柔軟性を有する樹脂材料に光散乱性の微粒子を含有させたものを用いることが好ましい。「柔軟性」とは、外力に対して容易に変形するとともに、成形時の形状への復元力を有する性質を言う。このような透明材料としては、柔軟性の点で、塩化ビニールに光散乱性の微粒子である顔料及び公知の可塑剤を含有させたものが挙げられる。その他、樹脂材料としては、同等の柔軟性を有するものであればこれに限られるものではなく、ポリエチレン、ポリプロピレン等の他の材料により代用可能である。
【００１９】
上述の本体部３の凹部４には、蓋部５が挿入されている。蓋部５は、略矩形平板状の部材であり、凹部４に着脱可能に嵌合されるものである。蓋部５においては、その下部には棒状のおもり１３が水平に収納され、そのおもり１３の上方（凹部４への挿入側）には化学発光体１１がおもり１３と平行に固定されている。このおもり１３を設けることにより、水中玩具１がおもり１３の取付け側付近に重心を有することとなる。また、蓋部５は、凹部４の開口部と密着して嵌合される形状を有する。
【００２０】
上記の化学発光体１１は、アンプル状の容器に化学発光のための薬液を封入して構成されたものである。詳細には、化学発光体１１は、柔軟性を有する円筒状のプラスチック容器の中にガラス製のアンプル容器が収納された２重構造になっている。そのプラスチック容器内のアンプル容器の外側に酸化剤、アンプル容器内に蛍光物質を含む薬剤が封入されている。このような構成の化学発光体１１を折り曲げると、アンプル容器のみが割れて酸化剤と上述の薬剤とが混合され、化学反応により外部へ発光する。
【００２１】
図３は、蓋部５の分解側面図、図４は、蓋部５の分解正面図である。図３及び図４に示すように、蓋部５は、光散乱性の透明材料からなる略矩形平板状の基材７と同材料からなる固定部材９とを備え、基材７の凹部４への挿入側にはおもり１３と固定部材９とを収容するための凹部７ａが形成されている。また、図４に示すように、固定部材９の底面には、おもり１３を凹部７ａ内に固定するための溝部９ａが形成され、固定部材９の上面には、化学発光体１１を着脱可能に圧入固定するための溝部９ｂが形成されている。
【００２２】
なお、蓋部５におけるおもり１３の固定は、上述した基材７及び固定部材９による形態には限られず、蓋部５に、ネジ、接着等の手段により直接固定することによって行っても良い。また、おもり１３は、本体部３の下部の所定位置に取り付けられていても良い。
【００２３】
また、水中玩具１は全体積に対する重量の比が約１ｇ／ｃｍ３以下となるように構成される。この全体積に対する重量の比は、水中玩具１が使用される際の水温における水の比重に応じて設定される。このように構成するため、本体部３及び蓋部３の透明材料として適切な比重のものが選択されるとともに、おもり１３の重量が適宜変更される。また、凹部４の形状を変更させることによって、凹部４及び蓋部５によって形成される間隙の容積を増減させて全体積に対する重量比を調整しても良い。このようにして、水中において水中玩具１が浮遊するようにその挙動が制御される。
【００２４】
以下、本実施形態にかかる水中玩具１の作用効果について説明する。蓋部５においては、おもり１３が凹部７ａに挿入された後、固定部材９がその溝部９ａをおもりに圧着させるように凹部７ａに圧入され、おもり１３が固定部材の溝部９ａと凹部７ａとによって支持される。また、固定部材９の溝部９ｂには、化学発光体１１がその溝に嵌め込むようにして圧入されるので、化学発光体１１は容易に蓋部５から着脱可能とされる。さらに、蓋部５が、本体部３の凹部４に挿入されると、凹部４と蓋部５によって形成される中空部内に化学発光体１１が収容される。従って、水中玩具１を水中で使用した場合に、内部から特定の色彩の散乱光が発せられるとともに、水中及び水面で所望の姿勢が保たれる。また、従来のような複雑な防水構造に比して、発光体の交換が容易に為される。
【００２５】
また、アンプル状の容器に薬液が封入された化学発光体１１を用いる構成とすれば、着脱による化学発光体の交換が安全かつ簡便に行われる。
【００２６】
さらに、本体部３及び蓋部５は、柔軟性を有する透明材料により成形されたものであるので、例えば入浴時に浴槽等で使用した場合に、人体への危険度がより低減されるとともに、化学発光体１１の蓋部５からの取り外しがより一層容易とされる。また、蓋部５を本体部３から取り外しの際には、外力の作用により本体部３が歪みを生じる。その結果、蓋部５と本体部３との密着部分に通気口が形成され、この通気口を通じて凹部４と外部との空気の流通が為されることにより、蓋部５の本体部３からの取り外しが容易となる。
【００２７】
［第２実施形態］
次に、本発明の第２実施形態にかかる水中玩具について説明する。本実施形態にかかる水中玩具１０１と第１実施形態にかかる水中玩具１との相違点は、二つの本体部により所定の形状を構成している点、おもり１３が第２の本体部１０５（詳細は後述する。）と化学発光体１１との間に配置されており、第２の本体部１０５には固定部材９が設けられていない点、及び化学発光体１１は、おもり１３を介して本体部側に支持されている点である。
【００２８】
図５は本発明の第２実施形態にかかる水中玩具の正面図、図６は図５に示す水中玩具の縦断面図である。図５に示すように、水中玩具１０１は、所定の立体形状であるホタルイカの形状に成形された水中玩具であり、第１の本体部１０３と第２の本体部１０５とを含んで構成されている。そして、図６に示すように、第２の本体部にはおもり１３が取り付けられるとともに、化学発光体１１が保持されている。
【００２９】
第１の本体部１０３及び第２の本体部１０５は、本体部３と同様の透明材料により成形されたものである。第１の本体部１０３の底面には凹部１０４が形成され、第２の本体部１０５には、凹部１０４の面に密着して着脱可能に嵌合される凸部１０５ａが形成されている。水中玩具１０１の内部においては、その下部には棒状のおもり１３が垂直に収納され、そのおもり１３の上面には化学発光体１１が垂直に保持されている。このおもり１３を設けることにより、水中玩具１０１がおもり１３の取付け側付近に重心を有することとなる。
【００３０】
図７は、水中玩具１０１の分解正面図である。図７に示すように、第２の本体部１０５の凸部１０５ａの上端面には、更に、おもり１３の直径と略等しい直径の凹部１０５ｂが形成されている。おもり１３は、この凹部１０５ｂに挿入され、所定位置に固定される。さらに、このおもり１３の上方には化学発光体１１が載置される。
【００３１】
なお、おもり１３の支持は、上述した形態には限られず、第２の本体部１０５の所定位置に、ネジ、接着等の手段により直接固定することによっても良い。また、おもり１３は、第１の本体部１０３の下部の所定位置に取り付けられていても良い。
【００３２】
また、水中玩具１０１は、全体積に対する重量の比が約１ｇ／ｃｍ３以下となるように構成される。この全体積に対する重量の比は、水中玩具１０１が使用される際の水温における水の比重に応じて設定される。このように構成するため、第１の本体部１０３及び第２の本体部１０５の透明材料として適切な比重のものが選択されるとともに、おもり１３の重量が適宜変更される。また、凹部１０４の形状を変更させることによって、凹部１０４及び凸部１０５ａによって形成される間隙の容積を増減させて全体積に対する重量比を調整しても良い。このようにして、水中において水中玩具１０１が浮遊するようにその挙動が制御される。
【００３３】
以上説明した第２実施形態にかかる水中玩具１０１によっても、第２の本体部１０５の凹部１０５ｂにおもり１３が挿入され支持される。また、おもり１３の上方には、化学発光体１１が保持されるので、化学発光体１１は容易に第２の本体部１０５から着脱可能とされる。さらに、第２の本体部１０５が、第１の本体部１０３の凹部１０４に挿入されると、凹部１０４と凸部１０５ａとの間に形成される間隙に化学発光体１１が保持される。従って、水中玩具１０１を水中で使用した場合に、内部から特定の色彩の散乱光が発せられるとともに、水中及び水面で所望の姿勢が保たれる。また、従来のような複雑な防水構造に比して、発光体の交換が容易に為される。
【００３４】
また、第１の本体部１０３及び第２の本体部１０５は柔軟性を有する樹脂材料により成形されたものであるので、第１の本体部から第２の本体部１０５を取り外しの際には、外力の作用により第１の本体部１０３及び第２の本体部１０５が歪みを生じる。その結果、両者間の密着部分に通気口が形成され、この通気口を通じて凹部１０４と外部との空気の流通が為されることにより、第１の本体部から第２の本体部１０５の取り外しが容易となる。
【００３５】
なお、本発明は上述した各実施形態に限定されるものではなく、例えば、第１実施形態にかかる水中玩具１及び第２実施形態にかかる水中玩具１０１においては、凹部４の最深部と外部との間、及び凹部１０４の最深部と外部との間に貫通孔、溝、スリット等の空気抜き手段が設けられていても良い。こうすれば、この空気抜き手段を通じて凹部４，１０４と外部との空気の流通が為されることにより、化学発光体１１の交換時の取り外しがより一層容易となる。
【００３６】
また、水中玩具１及び水中玩具１０１は、全体積に対する重量の比が約１ｇ／ｃｍ３以下となるように構成されていたが、この全体積に対する重量の比をより大きく設定しても良い。このように構成すれば、水中を沈みながら所望の姿勢を保つ水中玩具が提供される。
【００３７】
また、水中玩具１及び水中玩具１０１は、その本体部３、蓋部５、本体部１０３、及び本体部１０５を構成する光散乱性の透明材料として、樹脂材料に光散乱性の微粒子を含有させたものが用いられていたが、これは、樹脂材料の表面に光散乱性の微粒子層が設けられているものを用いても良い。このような透明材料としては、成形処理後の塩化ビニールの表面に光散乱性の微粒子である顔料を均一に塗布させたものが挙げられる。こうすれば、化学発光体１１から発せられ、水中玩具の本体部を透過する光の透過率がその肉厚に関わらず均一とされ、全体的にムラの無い散乱光が観察される。
【００３８】
また、水中玩具１及び水中玩具１０１は、化学発光体１１を複数本備えていても良い。例えば、蓋部５の固定部材９に形成された溝部９ｂ、又は本体部１０５に形成された凹部１０５ｂを複数設けることによって、化学発光体１１を複数本取り付けることが可能とされる。
【図面の簡単な説明】
【００３９】
【図１】本発明の第１実施形態にかかる水中玩具の右側面図である。
【図２】図１に示す水中玩具の縦断面図である。
【図３】図２に示す蓋部の分解側面図である。
【図４】図２に示す蓋部の分解正面図である。
【図５】本発明の第２実施形態にかかる水中玩具の正面図である。
【図６】図５に示す水中玩具の縦断面図である。
【図７】図５に示す水中玩具の分解正面図である。
【符号の説明】
【００４０】
１，１０１…水中玩具、３，１０３，１０５…本体部、４，１０４…凹部、５…蓋部、７…基材、９…固定部材、１１…化学発光体、１０５ａ…凸部。
【図１】
2005124917.tif 000003
【図２】
2005124917.tif 000004
【図３】
2005124917.tif 000005
【図４】
2005124917.tif 000006
【図５】
2005124917.tif 000007
【図６】
2005124917.tif 000008
【図７】
2005124917.tif 000009